【事件の表示】
　特願２００１−３８０４４３「同期捕捉回路」拒絶査定不服審判事件〔平成１５年　７月　４日出願公開、特開２００３−１８８７６７〕について、次のとおり審決する。
【結　論】
　本件審判の請求は、成り立たない。
【理　由】
１．経緯
　本願は、平成１３年１２月１３日の出願であって、平成１５年１１月１９日付けで拒絶査定され、これに対し、同年１２月２５日付けで審判請求されるとともに、同日付けで手続補正がなされたものである。
　
２．平成１５年１２月２５日付けの手続補正についての補正却下の決定
［補正却下の決定の結論］
　平成１５年１２月２５日付け手続補正を却下する。
［理由］
　（１）本件補正 
　本件補正により特許請求の範囲が次のように補正された。 
　（補正前） 
「【請求項１】　符号拡散された受信信号と、符号生成部が生成する逆拡散用の拡散符号との間で部分相関計算を行い、該部分相関計算によって算出された相関値を相関値格納部に格納する部分相関部が、複数設けられた同期捕捉回路であって、
　閾値格納部に格納された閾値を用いて、前記相関値が前記部分相関計算の早期の段階で算出不要であることを判断する比較部と、
　前記比較部及び前記部分相関部に対して、クロック信号の供給を行うクロック信号供給部とを、
前記複数の部分相関部のそれぞれに対して具えており、
　前記比較部は、前記判断を、
　生成された前記拡散符号の符号長を、設定されたカウンタ値までカウントしたとき、前記相関値格納部から前記相関値を読み込み、該読み込まれた前記相関値と前記閾値とを比較することにより行い、
　前記クロック信号供給部は、前記読み込まれた相関値が算出不要であると判断された場合は、クロック停止信号を前記比較部から受信し、該比較部及び前記部分相関部に対するクロック信号の供給を停止すること
を特徴とする同期捕捉回路。
　【請求項２】　符号拡散された受信信号と、符号生成部が生成する逆拡散用の拡散符号との間で部分相関計算を行い、該部分相関計算によって算出された相関値を相関値格納部に格納する部分相関部が、複数設けられた同期捕捉回路であって、
　前記部分相関部に対してクロック信号の供給を行うクロック信号供給部を、前記複数の部分相関部のそれぞれに対して具えるとともに、
　前記複数の部分相関部のうち、任意の数の前記部分相関部に対して、ひとつの相関比較部を具えており、
　前記相関比較部は、
　前記任意の数の部分相関部において生成された前記拡散符号の符号長を、設定されたカウンタ値までカウントしたとき、それぞれの前記相関値格納部から前記相関値を読み込み、
　該読み込まれた複数の相関値をそれぞれ比較することにより、算出不要である相関値を検出し、
　該算出不要である相関値を算出している前記部分相関部に対する前記クロック信号の供給を停止するために、該部分相関部に対して設けられている前記クロック信号供給部にクロック停止信号を送信すること
を特徴とする同期捕捉回路。
　【請求項３】　請求項１または２に記載の同期捕捉回路において、
　前記カウンタ値は、前記受信信号の受信状況に応じて、制御部によって設定されること
を特徴とする同期捕捉回路。
　【請求項４】　請求項１〜３のいずれか一項に記載の同期補足回路において、前記クロック信号供給部を、電源回路によって構成することを特徴とする同期捕捉回路。
　【請求項５】　符号拡散された受信信号と生成した信号との相関を行う相関器を有する同期捕捉回路において、
　前記相関の結果と予め設定された値とを比較する比較部と、
　前記比較部から出力された比較結果に基づいて、前記相関器及び前記比較部へのクロックの供給を中止するクロック制御部とを有すること
を特徴とする同期捕捉回路。
　【請求項６】　前記相関器、前記比較部及び前記クロック制御部を複数有することを特徴とする請求項５に記載の同期捕捉回路。
　【請求項７】　符号拡散された受信信号と生成した信号との相関を行う相関器を、複数個有する同期捕捉回路において、
　複数の前記相関の結果をそれぞれ比較する相関比較部と、
　前記相関比較部から出力された比較結果に基づいて、前記相関器へのクロックの供給を中止するクロック制御部とを有すること
を特徴とする同期捕捉回路。」 
　（補正後） 
「【請求項１】 符号拡散された受信信号と、符号生成部が生成する逆拡散用の拡散符号との間で部分相関計算を行い、該部分相関計算によって算出された相関値を相関値格納部に格納する部分相関部が、複数設けられた同期捕捉回路であって、
　閾値格納部に格納された閾値を用いて、前記相関値が前記部分相関計算の早期の段階で算出不要であることを判断する比較部と、
　前記比較部及び前記部分相関部に対して、クロック信号の供給を行うクロック信号供給部とを、前記複数の部分相関部のそれぞれに対して具えており、
　前記比較部は、前記判断を、
生成された前記拡散符号の符号長を、設定されたカウンタ値までカウントしたとき、前記相関値格納部から前記相関値を読み込み、該読み込まれた前記相関値と前記閾値とを比較することにより行い、
　前記クロック信号供給部は、前記読み込まれた相関値が算出不要であると判断された場合は、クロック停止信号を前記比較部から受信し、該比較部及び前記部分相関部に対するクロック信号の供給を停止することを特徴とする同期捕捉回路。
　【請求項２】 請求項１に記載の同期捕捉回路において、前記カウンタ値は、前記受信信号の受信状況に応じて、制御部によって設定されることを特徴とする同期捕捉回路。
　【請求項３】 請求項１または２に記載の同期補足回路において、前記クロック信号供給部を、電源回路によって構成することを特徴とする同期捕捉回路。
　【請求項４】 符号拡散された受信信号と生成した信号との相関を行う相関器を有する同期捕捉回路において、
　前記相関の結果と予め設定された値とを比較する比較部と、
　前記比較部から出力された比較結果に基づいて、前記相関器及び前記比較部へのクロックの供給を中止するクロック制御部とを有することを特徴とする同期捕捉回路。
　【請求項５】 前記相関器、前記比較部及び前記クロック制御部を複数有することを特徴とする請求項４に記載の同期捕捉回路。
　【請求項６】前記相関器は、
　前記クロックが供給されているときに、送信側の拡散符号と同じ拡散符号を生成する符号生成部と、
　前記クロックが供給されているときに、前記受信信号と前記拡散符号とを乗積し、乗積結果を出力する乗積部と、
前記クロックが供給されているときに、前記乗積結果と従前に算出された加算結果とを加算し、加算結果を出力する加算部と、
　前記加算結果を格納する相関値格納部とにより構成されることを特徴とする請求項４または５記載の同期捕捉回路。
　【請求項７】前記比較部は、
　前記クロックが供給されているときに、前記乗積結果が入力される毎にカウントし、所定数まで該カウントとを行い、該カウントが終了したことを示すカウント終了信号を出力するカウンタ部と、
　前記クロック信号が供給されているときに、閾値を出力する閾値格納部と、
　前記クロック信号が供給されているときに、前記カウント終了信号を入力するタイミングで、前記相関値格納部に格納されている前記加算結果と前記閾値格納部に格納されている閾値とを比較し、前記比較結果を出力するコンパレータとにより構成されることを特徴とする請求項６記載の同期捕捉回路。」 
　
　（２）補正の適否  
　上記補正は、補正前の請求項２及び７を削除し、それに伴い、補正前の請求項３，４，５，６を、それぞれ補正後の請求項２，３，４，５に補正するものであるが、一方、補正後の請求項６及び７は、補正前のいずれの請求項とも一対一の対応関係にあるものではなく、補正前の特許請求の範囲に実質的に新たに追加されたものであるから、上記補正は、特許請求の範囲の減縮を目的とする補正に該当せず、さらに、明りょうでない記載の釈明であるとも、誤記の訂正であるとも認められないから、特許法１７条の２第４項に規定する要件を満たしていない。
　
　（３）したがって、上記本件補正は、特許法第１７条の２第４項の規定に違反するものであるから、同法第１５９条第１項において読み替えて準用する特許法第５３条第１項の規定により却下されるべきものである。
　
３．本願発明
　平成１５年１２月２５日付けの手続補正は上記のとおり却下されたので、本願の請求項５に係る発明（以下、「本願発明５」という。）及び請求項７に係る発明（以下，「本願発明７」という。）は、出願当初の明細書の特許請求の範囲の請求項５及び請求項７に記載された事項により特定される、以下のとおりのものである。
「【請求項５】　符号拡散された受信信号と生成した信号との相関を行う相関器を有する同期捕捉回路において、
　前記相関の結果と予め設定された値とを比較する比較部と、
　前記比較部から出力された比較結果に基づいて、前記相関器及び前記比較部へのクロックの供給を中止するクロック制御部とを有すること
を特徴とする同期捕捉回路。」
「【請求項７】　符号拡散された受信信号と生成した信号との相関を行う相関器を、複数個有する同期捕捉回路において、
　複数の前記相関の結果をそれぞれ比較する相関比較部と、
　前記相関比較部から出力された比較結果に基づいて、前記相関器へのクロックの供給を中止するクロック制御部とを有すること
を特徴とする同期捕捉回路。」
　
　（１）引用例
　原査定の拒絶の理由に引用した特開２００１−２２３６３３号公報（以下、「引用例」という。）には、図面と共に下記の記載がある。
　
　（ア）「【０００２】
【従来の技術】一般に、W-CDMAシステムに適用されたCPM(Continuous Phase Modulation, 連続位相変調)方式とは、基地局の区別、端末器の同期化、及び高速のセル探索のために用いられる同期信号(同期コード)の位置を各基地局別に異なる形式で変調して受信側に伝送する方式をいう。
【０００３】このようなCPM方式を適用した順方向同期チャネルの同期コードは、変調されない256チップの長さ(1フレームは2560チップの長さである)の1個の2進コードで構成されており、スロットごとに1個ずつ伝送される。ここで、１つのフレームは、16個のスロットに分けられる。そして、各スロットは、複数のミニスロットに分けられ、ミニスロットの長さはδであり、該δは任意の正の整数であって、運用中のシステムにおいて必要に応じて変更され得るパラメーター値である。
【０００４】なお、各ミニスロットに挿入される同期コードの位置は、現在基地局が属するロングコードグループに対応する時間ホッピングコードの各コード要素に一致する値で与えられる。ここで用いられる時間ホッピングコードの長さは、フレーム当たりのスロット数16と同じであり、各時間ホッピングコード要素のアルファベットの大きさMは、スロット内にあるミニスロットの数と同じかそれよりも小さい。
【０００５】一方、送信側では、周知のCPM方式により同期コードの位置を変調して伝送し、受信側(CPM受信器)は、これを受信して基地局グループの情報を獲得する。
【０００６】図1は、従来のW-CDMAシステムにおけるCPM方式のセル探索過程を示す図である。
【０００７】まず、第1番目のステップにおいて、同期チャネルマッチドフィルタを利用してミニスロットのスタート点を探す。
【０００８】次いで、第２番目のステップにおいて、スタート点以後、１フレームの間、ミニスロットクロック位置ごと(すなわち、δチップ長ごと)にマッチドフィルタの出力値を利用してロングコードグループ情報及び10msフレームのスタート点に対する情報を獲得する。
【０００９】最後のステップにおいて、ロングコードのスタート点情報を利用してロングコードの種類を決定する。
【００１０】以下に、第２番目のステップの内容をさらに詳細に説明する。
【００１１】例えば、システムで用いられるロングコードグループの数が2であり、フレーム当たりのスロット数が4である場合を説明すれば、次の通りである。
【００１２】
  ロングコードグループ数=2
  フレーム当たりのスロット数=4
  ミニスロット数=ホッピングコードアルファベットの大きさ=5
  グループ1のためのホッピングコード=(1 3 3 4)
  グループ2のためのホッピングコード=(4 0 2 1)
  全体コード/シフト集合=(1 3 3 4)(4 1 3 3)(3 4 1 3)(3 3 4 1)
　　　　　　　　　　　　(4 0 2 1)(1 4 0 2)(2 1 4 0)(0 2 1 4)
  時間シフト(slots)          0        1        2        3
【００１３】上記の例から分かるように、CPM受信器は、マッチドフィルタのスロットスタート点を基準としてコードグループシフト集合8個(2x4)に対する決定変数を計算する。決定変数は、入力コードと可能な全てのグループ情報コード間の相関値である。この場合、決定変数の値が最も大きいものが、正しいコードグループである可能性が最も高く、この情報を利用してフレームのスタート点を迅速に計算することとなる。
【００１４】このような方式では、最大値を有するミニスロット1個に対してL(コードグループの数xフレーム当たりのスロット数)個の決定変数を計算する。選択するミニスロットの数Nは、要求される性能と使用環境に応じて決定される。
【００１５】図2は、従来のCPM受信器の構成を示すブロック図である。
【００１６】ミニスロット選択部10は、入力される同期チャネルから好適なミニスロットの位置を選択する。この選択された情報は、ラインL2〜L2Nを介して決定変数計算部20内の各々の決定変数計算機21〜20+Nに入力される。
【００１７】次いで、決定変数計算部20内の各々の決定変数計算機21〜20+Nは、前記ミニスロット選択部10において選択された各々のミニスロットに対する入力とラインL0を介して入力される可能な全てのグループ情報コードの相関値を観察区間の間(T時間の間)に渡って計算する。このように各々の決定変数計算機21〜20+Nにおいて計算された結果は、決定変数計算値として決定変数選択部30に入力される。
【００１８】前記決定変数選択部30は、入力される決定変数計算値から必要な情報のみを抽出する。
【００１９】一般的に、前記決定変数選択部30において選択されて出力される選択情報は、最も値の大きいいくつかの情報であり、この間にも決定変数計算部20は計算を続ける。
【００２０】しかし、このような従来のCPM受信器における決定変数計算装置は、決定変数選択部30から必要な情報を抽出した場合にも、最終決定に影響を与えない計算を持続的に行うこととなることから、必要以上に電力を消費する問題があった。」（２ページ２欄３行〜３ページ３欄４７行）
　
　（イ）「【００２６】（１）第１の実施の形態
　図3は、本発明にかかる移動通信システムにおける決定変数計算装置の第1の実施の形態を示すブロック図である。
【００２７】符号100は、ミニスロット選択部(図2中の符号10)において選択された情報と入力信号の相関値を計算する複数の相関値計算機101〜100+Nを備える相関値計算部を示している。
【００２８】また、符号200は、相関値計算部100内の複数個の相関値計算機101〜100+Nから各々出力される相関値を、設定した観察区間において予め設定した閾値と各々比較し、その大小の如何に応じて複数の相関値計算機101〜100+Nを選択的に動作させる複数の相関値計算機100〜100+Nと対応する相関回路制御器201〜200+Nを備えた相関回路制御部を示している。
【００２９】このように構成された本発明に係る第1の実施の形態においては、まず、図2のミニスロット選択部10から出力される値がラインL2〜L2Nを介して相関値計算部100内の各々の相関値計算機101〜100+Nに入力される。
【００３０】次いで、各々の相関値計算機101〜100+Nは、各々入力された値（ラインL2〜L2N）と入力信号（L0）の相関値を計算して、図2における決定変数選択部30及び相関回路制御部200内の各々の相関回路制御器201〜200+Nに入力する。
【００３１】これによって、相関回路制御部200内の各々の相関回路制御器201〜200+Nは、予め設定された相関値観察区間Tよりさらに小さく設定された観察区間T1において、入力された前記相関値と予め設定された閾値H1とを比較する。ここで、閾値H1は、相関値計算機101〜100+Nを前記観察区間Tにおいて駆動させるか、または停止させるかを決定するために設定される値である。
【００３２】そして、前記比較の結果、前記観察区間T1において前記入力された相関値が前記閾値H1よりも大きい場合には、前記観察区間Tにおいて該当する相関値計算機が駆動し、逆に前記観察区間T1において前記入力された相関値が前記閾値H1よりも小さい場合には、それ以後の区間、すなわちT1区間を除いたT区間において該当する相関値計算機が停止するように相関値計算機101〜100+Nの駆動を制御する。
・・・中略・・・。
【００３５】このように、相関値計算機101〜100+Nの駆動を閾値に応じて選択的に制御することによって、予め設定された閾値よりも大きい決定変数を出力する相関値計算機のみが観察区間Tにおいて動作し、予め設定された閾値よりも小さい決定変数を出力する相関値計算機は観察区間T1においてのみ駆動した後、その他の区間、すなわち（T-T1）の区間においては停止することから、観察区間Tにおいて連続的に動作する場合と比較して消費電力を低減し得ることとる。」（３ページ４欄４８行〜４ページ６欄９行）
　
　（ウ）「【００３６】（２）第２の実施の形態
　図4は、本発明にかかる決定変数計算装置の第2の実施の形態を示すブロック図である。
【００３７】ここで、符号300は、ミニスロット選択部(図2中の符号10)において選択された情報と入力信号の相関値を計算する複数の相関値計算機301〜300+Nを備える相関値計算部を示している。
【００３８】また、符号400は、相関値計算部300内の複数の相関値計算機301〜300+Nから各々出力される相関値を、予め設定した観察区間において序列化し、序列化された相関値に応じて複数の相関値計算機301〜300+Nを選択的に動作させる序列判定部を示している。
【００３９】このように構成された本発明にかかる第2の実施の形態においては、まず、図2のミニスロット選択部10から出力された値がラインL2〜L2Nを介して相関値計算部300内の各々の相関値計算機301〜300+Nに入力される。
【００４０】次に、各々の相関値計算機301〜300+Nは、各々入力された値（ラインL2〜L2N）と入力信号（L0）の相関値を計算して、図2における決定変数選択部30及び序列判定部400に入力する。
【００４１】これによって、序列判定部400は、予め設定された相関値観察区間Tよりさらに小さく設定された観察区間T1において、入力された相関値を序列化し、その結果、上位から所定の個数(I個)に該当する相関値を出力する相関値計算機のみを観察区間Tにおいて駆動させ、それ以外の相関値計算機は停止させる。
・・・中略・・・。
【００４３】このように、各々の相関値計算機301〜300+Nの出力信号を観察区間T1において序列化した後、予め決められた個数の相関値計算機のみを駆動させ、決定変数選択に影響を及ぼさない相関値計算機を停止させることによって、電力消費を低減することができる。」（４ページ６欄１０〜５０行）
　
　上記摘記事項（ア）の記載から、摘記事項（イ）及び（ウ）に記載された「相関値計算機」は、「符号拡散された受信信号と入力コードとの相関を行うものである」といえる。
　
　したがって、上記引用例記載の摘記事項（ア）及び（イ）、関連する図面ならびにこの分野における技術常識を考慮すると、上記引用例には以下の発明（以下、「引用発明１」という。）が開示されていると認められる。
「符号拡散された入力信号と入力コードとの相関を行う相関器を有する回路において、
　前記相関の結果と予め設定された閾値とを比較し、比較結果に基づいて、前記相関器を停止させる相関回路制御器を有することを特徴とする回路。」
　また、上記引用例記載の摘記事項（ア）及び（ウ）、関連する図面ならびにこの分野における技術常識を考慮すると、上記引用例には以下の発明（以下、「引用発明２」という。）も開示されていると認められる。
　「符号拡散された受信信号と入力コードとの相関を行う相関器を、複数個有する回路において、
　複数の前記相関の結果を序列化し、その結果に基づいて、前記相関器を停止させる序列判定部を有することを特徴とする回路。」
　
　（２）周知例
　特開２００１−２４５５２号公報（以下、「周知例１」という。）には、図面と共に次の記載がある。
　
　（エ）「【０００１】
【発明の属する技術分野】この発明は、スペクトル拡散通信方式を用いたＣＤＭＡ（Code Division Multiple Access；符号分割多元接続）用受信装置及びそのパス探索方法に係り、特に、処理工程を削減して消費電力を低減することができるＣＤＭＡ用受信装置及びそのパス探索方法に関する。」（２ページ２欄２１〜２７行）
　
　（オ）「【０００３】このようなＣＤＭＡ用受信装置が伝送された情報を正しく取り出すためには、ベースバンド信号と拡散符号との相関演算を実行する際に、符号パターンの時間ずれを一致させて符号同期を確立する必要がある。この符号同期を確立するための技術として、ベースバンド信号と拡散符号との時間相関特性を示す遅延プロファイルを用いて逆拡散のタイミングを特定する方法がある。この遅延プロファイルにおいては、拡散符号の符号パターンのタイミングがベースバンド信号に含まれる符号パターンのタイミングと一致する遅延時間（ベースバンド信号と拡散符号のいずれか一方を他方に対して遅延させていった時間）に、相関値がピークとなり、一致しない場合には、そのピークに対して十分小さい値となる。そして、この相関ピークのうち、所定の閾値Ｓｎより大きな値のものが現れる遅延時間を有効なパスの位置と特定し、この遅延時間により、データ信号を取り出すための逆拡散のタイミングを特定する。」（２ページ２欄４２行〜３ページ３欄８行）
　
　（カ）「【０００８】
【発明が解決しようとする課題】上記従来のＣＤＭＡ用受信装置では、遅延プロファイルが作成される度に相関値と所定の基準値を比較して、相関値が所定の基準値より大きくなる相関ピークを特定することにより、パスを探索している。
・・・中略・・・。
【００１０】このため、ＣＤＭＡ用受信装置が通信サービス圏外にある等して、有効なパスがない場合であってもパスを探索するために相関値と基準値との比較をするという無駄な処理を実行し、電力を浪費していた。」（３ページ３欄４６行〜４欄１２行）
　
　（キ）「【００２１】
【発明の実施の形態】以下に、図面を参照して、この発明の実施の形態に係るＣＤＭＡ用受信装置について詳細に説明する。
【００２２】図１は、この発明の実施の形態に係るＣＤＭＡ用受信装置１００の構成の一例を示す図である。図示するように、このＣＤＭＡ用受信装置１００は、無線復調部１０と、逆拡散処理部１１と、データ処理部１２と、アンテナ１３とを備えている。
【００２３】無線復調部１０は、直交検波器、ＰＬＬ（Phase Locked Loop）シンセサイザ等から構成され、アンテナ１３が受信した無線信号から、ベースバンド信号を復調するためのものである。
【００２４】逆拡散処理部１１は、無線復調部１０が復調したベースバンド信号をマルチパスの発生状況に応じて位相と振幅を補償しながら逆拡散するためのものであり、ＲＡＫＥ処理部２０と、サーチ処理部２１とを備えている。
【００２５】ＲＡＫＥ処理部２０は、無線復調部１０が復調したベースバンド信号を逆拡散してデータ信号を取り出すためのものである。
【００２６】サーチ処理部２１は、データ信号を取り出すためのパスを探索してＲＡＫＥ処理部２０の動作を制御するためのものである。図２は、サーチ処理部２１の構成を示す図であり、図示するように、サーチ処理部２１は、拡散符号発生器２１０と、サーチ用相関器２１１と、遅延プロファイル作成部２１２と、積分器２１３と、動作切替部２１４と、パス探索部２１５とを備えている。」（４ページ６欄２〜３０行）
　
　（ク）「【００３５】以下に、この発明の実施の形態に係るＣＤＭＡ用受信装置１００の動作について説明する。このＣＤＭＡ用受信装置１００は、拡散符号とベースバンド信号との相関演算により得られた相関値を所定の時間にわたって積分し、積分した相関値の大きさに応じてパスを探索するか否かを判別することにより処理工程を削減し、消費電力を低減することができる装置である。
【００３６】ＣＤＭＡ用受信装置１００は、電源が投入されると、所定の時間（例えば、パイロットシンボルが含まれているスロットを受信するまでの時間）が経過する毎に、動作切替部２１４が、図３のフローチャートに示すパス探索切替処理を開始する。
【００３７】パス探索切替処理を開始すると、動作切替部２１４は、サーチ用相関器２１１を起動し、無線復調部１０から受けたベースバンド信号と、拡散符号発生器２１０が生成した拡散符号との相関演算を実行し、得られた相関値を遅延プロファイル作成部２１２と積分器２１４に通知する。
【００３８】遅延プロファイル作成部２１２は、サーチ用相関器２１１から受けた相関値をメモリ２２０に順次格納して、１スロット分に相当する遅延プロファイルを作成する（ステップＳ１）。
【００３９】また、この際、積分器２１３は、サーチ用相関器２１１から受けた相関値を１スロット分だけ積分し、積分された相関値を動作切替部２１４に通知する。動作切替部２１４は、積分器２１３から取得した積分された相関値が基準値Ｌ１より大きいか否かを判別する（ステップＳ２）。
【００４０】動作切替部２１４は、積分された相関値が基準値Ｌ１より大きいと判別すると（ステップＳ２にてＹＥＳ）、有効なパスがあるとして（ステップＳ３）、パス探索部２１５を起動し、パスの位置を特定させる。
【００４１】パス探索部２１５は、動作切替部２１４により起動されると、メモリ２２０に格納された遅延プロファイルから相関値を逐次読み出して、有効なパスを特定するための閾値と比較する。そして、パス探索部２１５は、遅延プロファイルに示された全ての遅延時間における相関値を閾値と比較して、閾値より大きな値となる相関ピーク値を特定する（ステップＳ４）。この後、動作切替部２１４は、パス探索切替処理を終了し、ＣＤＭＡ用受信装置１００がデータ信号を受信するための受信動作に切り替える。
【００４２】この際、例えば、パス探索部２１５は、上記ステップＳ４にて特定した相関ピーク値とそのピークが生じる遅延時間に応じて、ＲＡＫＥ処理部２０がデータ信号を取り出すためのパラメータを作成してＲＡＫＥ処理部２０にセットし、ＲＡＫＥ処理部２０の動作を規定する。ＲＡＫＥ処理部２０は、パス探索部２１５により設定されたパラメータに応じてベースバンド信号を逆拡散してデータ信号を取り出し、データ処理部１２に送る。データ処理部１２は、ＲＡＫＥ処理部２０から受けたデータ信号に応じて音声信号を出力するといった各種処理の実行を開始する。
【００４３】一方、動作切替部２１４は、上記ステップＳ２にて、積分された相関値が基準値Ｌ１以下であると判別すると（ステップＳ２にてＮＯ）、有効なパスがないとしてパス探索処理を終了し（ステップＳ５）、サーチ処理部２１及び各部位の動作を停止させて、所定の時間が経過するまでスリープ状態となる。これにより、積分された相関値が小さいときには、パスの探索を行わない。従って、パス探索部２１５の動作を抑制して処理工程を削減し、消費電力を低減することができる。」（５ページ８欄３行〜６ページ９欄２１行）
　
　以上の周知例１の記載によれば、「符号拡散された受信信号と生成した信号との相関を行う相関器を有する同期捕捉回路において、
　前記相関の結果と閾値とを比較する比較部と、
　該比較部から比較結果に基づいて、前記相関器及び前記比較部を停止する同期捕捉回路。」は、周知であるといえる。
　
　また、特開２００１−５３６４７号公報（以下、「周知例２」という。）には、図面と共に次の記載がある。
　
　（ケ）「【０００２】
【従来の技術】図６は、従来のＣＤＭＡによる直接スペクトル拡散方式の受信機の構成を示すブロック図である。図６において、受信信号６１はまず同期捕捉装置６９において同期の捕捉を完了してから、逆拡散装置６３によって各コードジェネレータ６２から発生される拡散符号でそれぞれ逆拡散され、復調器６４によってＣＤＭＡで多重された各チャンネルのデータを取り出す。同期捕捉装置６９は、遅延器６５と、逆拡散装置６３と、相関検出器６６と、ピーク判定器６７とを含む。
【０００３】図７は、逆拡散装置６３の構成を示すブロック図である。まず受信信号と拡散符号とを乗算器７１で掛け合わせ、拡散されて送られてきた目的信号のスペクトルを元に戻してから、ＬＰＦ（Low Pass Filter）７２によって余分な周波数成分を除去することによって逆拡散操作を行う。このとき、拡散操作をした時と同じ拡散符号を同じタイミングで掛け合わせてやらなければ、図８に示すようにスペクトルが元に戻らず復調を行うことができない。
【０００４】したがって、復調の前に拡散符号を掛け合わせる同期タイミングを知る必要があり、これを知るために同期捕捉が行われる。一般に、スペクトル拡散通信の拡散符号には図９に示されるように良好な自己相関特性を持つものが使用される。つまり、タイミングが合っているときの相関値に対して、タイミングにずれが生じたときの相関値が非常に小さいので、相関が最大となる自己相関ピークを見つけることにより、同期タイミングを知ることができる。
【０００５】ところが、拡散符号一周期分の全てのタイミングでの相関値を一つ一つ調べていては時間がかかる。そこで、図６における同期捕捉装置６９では、特開平７−１０７００８号公報で示されているように、コードジェネレータ６２で発生させた拡散符号に対して複数の遅延器６５を用いてそれぞれ異なる遅延を与え、逆拡散装置６３、相関検出器６６を用いて受信信号６１との相関をそれぞれ検出する。これにより、異なるタイミングの相関を同時に調べることが可能になり、同期捕捉にかかる時間を短くすることができる。図１２に受信信号Ｒに対するそれぞれ遅延された周期ｎの拡散符号Ａのタイミングを示す。
【０００６】異なるタイミングの相関を検出した後、ピーク判定器６７において、それぞれの相関値の中から最大のものを選び出し、さらにそれが自己相関ピークとなり得るかをしきい値などを設定して判定する。そして、この最大となる相関値がしきい値を超えた場合、それを自己相関ピークと判定し、同期コントローラ６８でクロックのパルスを削除することによって、各コードジェネレータ６２で発生させる拡散符号のタイミングを自己相関ピークのタイミングに合わせ、逆拡散装置６３および復調器６４を用いてＣＤＭＡで多重された各チャンネルのデータをそれぞれ復調する。また、しきい値を超えなかった場合は自己相関ピークでないと判定し、同様に同期コントローラ６８でクロックのパルスを削除することによって、各遅延器６５で与える遅延の中で最も大きなものと同等の遅延を各コードジェネレータ６２に与え、同期捕捉装置６９を用いて同様に次のタイミングで自己相関ピークを探す。」（２ページ１欄２２行〜２欄２８行）
　
　以上の周知例２の記載によれば、「符号拡散された受信信号と生成した信号との相関を行う相関器を、複数個有する同期捕捉回路。」は、周知であるといえる。
　
　（３）対比・判断
　（ａ）本願発明５について
　本願発明５と引用発明１とを比較すると、引用発明１の「入力コード」と、本願発明５の「生成した信号」との間に実質的な差異はない。
　また、引用発明１の「相関器を有する回路」と、本願発明５の「相関器を有する同期捕捉回路」とは、「相関器を有する回路」である点で一致する。
　また、引用発明１の「相関回路制御器」は、その動作から「比較器」を備えているといえ、「比較結果に基づいて、前記相関器を停止させる回路」である点で本願発明５の「クロック制御部」と一致する。
　したがって、両者は、
「符号拡散された受信信号と生成した信号との相関を行う相関器を有する回路において、
　前記相関の結果と予め設定された値とを比較する比較部と、
　前記比較部の比較結果に基づいて、前記相関器を停止させる回路を有することを特徴とする回路。」において一致し、下記の点で異なる。
　［相違点］
　本願発明５が「同期捕捉回路」であって、相関器を停止させるために「相関器及び前記比較部へのクロックの供給を中止するクロック制御部」を有しているのに対し、引用発明１は「同期捕捉回路」及び「クロック制御部」について明示していない点。
　
　上記相違点について検討する。
　上記「３．」の「（２）」の「周知例１」及び「周知例２」で示したように「符号拡散された受信信号と生成した信号との相関を行う相関器を有する同期捕捉回路」は周知であって、該周知のものに引用発明１を適用することを阻害する格別な要因は見あたらない。
　また、一般に、ディジタル回路の動作を停止させるために、ディジタル回路へのクロックの供給を中止する手段を設けることは慣用技術（例えば、特開２００１−２４５５８号公報、参照。）であって、引用発明の「相関器」及び「比較部」の両者を停止させることは当業者が必要に応じて適宜なし得る事項に過ぎないから、引用発明において、相関器及び比較部を停止させるためのクロックの供給を中止する手段を設けることは当業者が容易になし得ることであり、周知の同期捕捉回路に適用する場合も同様である。
　そして，本願発明５の作用効果も，引用発明１及び周知慣用技術から当業者が予測できる範囲のものである。
　したがって，本願発明５は，引用例に記載された引用発明１及び周知慣用技術に基づいて，当業者が容易に発明をすることができたものである。
　
　（ｂ）本願発明７について
　本願発明７と引用発明２とを比較すると、引用発明２の「入力コード」と、本願発明７の「生成した信号」との間に実質的な差異はない。
　また、引用発明２の「相関器を、複数個有する回路」と、本願発明７の「相関器を、複数個有する同期捕捉回路」とは、「相関器を、複数個有する回路」である点で一致する。
　また、引用発明２の「序列判定部」は、その動作から「相関比較部」を備えているといえ、「相関比較部から出力された比較結果に基づいて、相関器を停止させる回路」である点で本願発明７の「クロック制御部」と一致する。
　したがって、両者は、
「符号拡散された受信信号と生成した信号との相関を行う相関器を、複数個有する回路において、
　複数の前記相関の結果をそれぞれ比較する相関比較部と、
　前記相関比較部から出力された比較結果に基づいて、前記相関器を停止させる回路とを有することを特徴とする回路。」において一致し、下記の点で異なる。
　［相違点］
　本願発明７が「同期捕捉回路」であって、相関器を停止するために「相関器へのクロックの供給を中止するクロック制御部」を有しているのに対し、引用発明２は「同期捕捉回路」及び「クロック制御部」について明示されていない点。
　
　上記各相違点について検討する。
　上記「３．」の「（２）」の「周知例２」で示したように「符号拡散された受信信号と生成した信号との相関を行う相関器を、複数個有する同期捕捉回路」は周知であって、該周知のものに引用発明２を適用することを阻害する格別な要因は見あたらない。
　また、一般に、ディジタル回路の動作を停止させるために、ディジタル回路へのクロックの供給を中止する手段を設けることは慣用技術（例えば、特開２００１−２４５５８号公報、参照。）であるから、引用発明２の「相関器を停止させる回路」を「相関器へのクロックの供給を中止するクロック制御部」から構成することは当業者が適宜なし得たことに過ぎない。
　そして、本願発明７の作用効果も、引用例に記載された引用発明２及び周知慣用技術から当業者が予測できる範囲のものである。
　したがって、本願発明７は，引用例に記載された引用発明２及び周知慣用技術に基づいて，当業者が容易に発明をすることができたものである。
　
　（４）むすび
　以上のとおり，本願発明５及び本願発明７は，引用例に記載された引用発明１、引用発明２及び周知慣用技術に基づいて，当業者が容易に発明をすることができたものであるから，特許法第２９条２項の規定により特許を受けることができない。
　よって，結論のとおり審決する。